(57)【要約】【課題】洗濯物に汚れが付着することを抑制しつつ、洗濯物を乾き易くできる物干し用ネット。【解決手段】洗濯物２と、洗濯物２が吊り下げられる物干し器具３と、を覆うように構成された物干し用ネット１において、洗濯物２及び物干し器具３の全体を覆う袋状のネット本体部４を備える。ネット本体部４は、洗濯物２及び物干し器具３を出し入れ可能に収容し、位置に応じてメッシュの大きさが異なるものである。【選択図】図３
2008136783.tif 000002
【特許請求の範囲】
【請求項１】
洗濯物と、洗濯物が吊り下げられる物干し器具と、を覆うように構成された物干し用ネットにおいて、
前記洗濯物及び前記物干し器具の全体を覆う袋状のネット本体部であって、当該洗濯物及び当該物干し器具を出し入れ可能に収容するネット本体部を備え、
前記ネット本体部は、位置に応じて、メッシュの大きさが異なる、物干し用ネット。
【請求項２】
前記ネット本体部は、下部のメッシュよりも上部のメッシュの方が小さい、請求項１に記載の物干し用ネット。
【請求項３】
前記ネット本体部は、不織布からなる、請求項１又は２に記載の物干し用ネット。
【請求項４】
当該物干し用ネットは、洗濯可能に且つ折畳み可能に構成される、請求項１ないし３のいずれか一項に記載の物干し用ネット。
【請求項５】
前記ネット本体部の一部を開閉する開閉部であって、前記洗濯物及び前記物干し器具を前記ネット本体部の内外に出し入れするための開閉部を、更に備えた、請求項１ないし４のいずれか一項に記載の物干し用ネット。
【発明の詳細な説明】
【技術分野】
【０００１】
本発明は、洗濯物を干す物干し器具を、洗濯物ごと覆う物干し用ネットに関するものである。
【背景技術】
【０００２】
通常の家庭では、下着やソックスの洗濯物を物干し器具にまとめて吊り下げ、物干し器具を家の外のベランダ等の物干し竿などに吊り下げるなどして、洗濯物を乾かしている。
【０００３】
ところが、環境や季節によっては、干している洗濯物に、枯葉、ゴミ、鳥の糞が付着したり、蜂などの害虫が紛れ込んだり、あるいは風にあおられた洗濯物が付近の壁に接触して汚れたりする場合がある。また、洗濯物は、風で飛ばされたり、盗難されたりする場合もある。
【０００４】
このような洗濯物の被害を防止できるものとして、例えば特許文献１に記載の物干し用ネットが知られている。この物干し用ネットは、合繊繊維の糸からなる網状の袋体からなり、その袋体で物干し器具を洗濯物ごと覆うことができるものである。
【特許文献１】特開２００３−３２６０９５号公報
【発明の開示】
【発明が解決しようとする課題】
【０００５】
しかし、特許文献１に記載の物干し用ネットでは、メッシュの大きさが十分に考慮されていない。このため、例えばゴミなどの侵入は防止できたとしても、物干し用ネットが洗濯物を覆っている分、風や光の通しが阻害され、洗濯物が乾きにくいという問題があった。
【０００６】
本発明は、洗濯物に汚れが付着することを抑制しつつ、洗濯物を乾き易くできる物干し用ネットを提供することをその目的としている。
【課題を解決するための手段】
【０００７】
上記目的を達成するための本発明の物干し用ネットは、洗濯物と、洗濯物が吊り下げられる物干し器具と、を覆うように構成される。物干し用ネットは、洗濯物及び物干し器具の全体を覆う袋状のネット本体部であって、洗濯物及び当該物干し器具を出し入れ可能に収容するネット本体部を備える。そして、ネット本体部は、位置に応じて、メッシュの大きさが異なるものである。
【０００８】
このような本発明の構成によれば、ネット本体部にメッシュが大きい部分と小さい部分とを混在させることができる。これにより、メッシュが小さい部分では、洗濯物に汚れが付着することをより好適に抑制できる。と同時に、メッシュが大きい部分でも、洗濯物に汚れが付着することを抑制でき、しかもネット本体部の通気性を確保できる。これにより、洗濯物を乾き易くできる。
【０００９】
好ましくは、ネット本体部は、下部のメッシュよりも上部のメッシュの方が小さいとよい。
【００１０】
この構成によれば、枯葉、鳥の糞、ホコリなどによる被害が起きない又は起きる可能性が低いネット本体部の下部で、ネット本体部の通気性及び採光性を高めることができ、洗濯物を乾き易くできる。一方で、これらの被害が起き易いネット本体部の上部は、メッシュが比較的小さい。これにより、枯葉、鳥の糞、ホコリなどがネット本体部を通過することを抑制でき、洗濯物に汚れが付着することを好適に抑制できる。
【００１１】
好ましくは、ネット本体部は、不織布からなるとよい。
【００１２】
この構成によれば、ゴミ等の異物の侵入を好適に抑制できる。また、通気性も良く、ほこりがでにくい。
【００１３】
好ましくは、物干し用ネットは、洗濯可能に且つ折畳み可能に構成されるとよい。
【００１４】
この構成によれば、物干し用ネットが汚れた場合にもこれを洗濯できるので、物干し用ネットが洗濯物を汚すことを抑制できる。また、物干し用ネットを折畳むことができるので、例えば家庭用洗濯機で物干し用ネットを洗濯物と一緒に洗うことができると共に、使用しないときの物干し用ネットの管理もし易い。
【００１５】
好ましくは、物干し用ネットは、ネット本体部の一部を開閉する開閉部を備えるとよく、開閉部は、洗濯物及び物干し器具をネット本体部の内外に出し入れするためのものであればよい。
【００１６】
この構成によれば、物干し器具の出し入れもし易く、さらに泥棒の心理に洗濯物の盗難の煩わしさをうったえることができる。
【発明の効果】
【００１７】
以上説明した本発明の物干し用ネットによれば、洗濯物への汚れの付着を抑制しつつ、洗濯物を乾き易くできる。
【発明を実施するための最良の形態】
【００１８】
以下、添付図面を参照して、本発明の好適な実施形態に係る物干し用ネットについて説明する。
【００１９】
＜第１実施形態＞
図１は、第１実施形態に係る物干し用ネットを、洗濯物及び物干し器具とともに示す斜視図である。図２は、洗濯物及び物干し器具を示す斜視図である。
【００２０】
図１に示すように、物干し用ネット１は、洗濯物２を吊るした物干し器具３を、洗濯物２ごと覆うように構成される。洗濯物２は、例えば、ソックス、パンツなどの下着である。
【００２１】
図２に示すように、物干し器具３は、枠体１１と、吊りチェーン１２と、フック１３と、洗濯バサミ１４と、を備える。枠体１１は、輪郭が四角形からなり、例えば二つ折りに折畳み可能に構成される。吊りチェーン１２は、計４本あり、それぞれの一端が枠体１１の四隅に取り付けられ、他端がフック１３の下端に取り付けられる。フック１３は、鍵状からなり、ベランダやバルニコーなどの物干し竿１６などに掛けられる。洗濯バサミ１４は、複数が紐を介して枠体１１に分散して取り付けられ、洗濯物２を取り外し可能に吊り下げる。
【００２２】
このような構成により、フック１３を物干し竿１６などに掛けると、枠体１１が水平に吊り下げられる。これにより、洗濯物２を日光や風等により乾かすことができる。なお、物干し器具３の態様は上記に限るものではなく、公知のものを適用することができる。例えば、物干し器具３として、枠体１１の輪郭がリング状のものを用いてもよい。
【００２３】
図３は、物干し用ネット１の斜視図である。
図３に示すように、物干し用ネット１は、上側ネット２１及び下側ネット２２からなるネット本体部２４を有すると共に、ファスナー２５を有する。上側ネット２１は、洗濯物２及び物干し器具３の上方の全域を覆い、下側ネット２２は、洗濯物２及び物干し器具３の側方及び下方の全域を覆う。つまり、ネット本体部２４は、洗濯物２及び物干し器具３の全体を覆う袋状に形成されており、ファスナー２５を介して洗濯物２及び物干し器具３を出し入れ可能に収容する。
【００２４】
上側ネット２１は、４個の斜面３１を形成するシート状のネットを、それぞれ帯状のバイヤステープ３２で縫い合わされてなる。このため、上側ネット２１は、傘状の形態を保つことができる一方で、折畳むことができるようになっている。４個の斜面３１は、上部で合流しており、その合流の中心部には、フック１３を通すための挿通穴３３が開けられている。紐３４で挿通穴３３を絞ることで、挿通穴３３とフック１３との間の隙間をなくすことができる（図１参照）。これにより、フック１３等のサイズの異なる物干し器具３に対応できるようになっている。なお、図３に示す符号３５は、紐３４の動きを規制する留め具３５である。
【００２５】
下側ネット２２は、４個の側面４１及び底面４２を形成するシート状のネットを、それぞれ帯状のバイヤステープ４３で縫い合わされてなる。このため、下側ネット２２は、箱状の形態を保つことができる一方で、折畳むことができるようになっている。下側ネット２２と上側ネット２１とは、４個の側面４１と４個の斜面３１とがそれぞれ帯状のバイヤステープ４４で縫い合わされている。これにより、略立方体の袋状のネット本体部２４が構成され、その内部に洗濯物２及び物干し器具３を収容可能なスペースが画成される。
【００２６】
なお、別の実施態様では、上側ネット２１と下側ネット２２とを分離可能に接続してもよい。例えば、バイヤステープ４４に代えて、マジックテープ（登録商標）などで上側ネット２１と下側ネット２２とを接続するようにしてもよい。このように構成した場合には、ファスナー２５を省略することができる。
【００２７】
ファスナー２５は、ネット本体部２４の一部を開閉するための開閉部として機能する。ファスナー２５は、下側ネット２２の正面側の側面４１に設けられる。もっとも、ファスナー２５の位置はこれに限るものではない。例えば、側面４１の複数に亘って設けてもよいし、側面４１及び底面４２に亘って設けてもよいし、あるいは上側ネット２１に設けてもよい。ファスナー２５を開くことで、ネット本体部２４内のスペースに洗濯物２及び物干し器具３を出し入れすることができる。ファスナー２５に代えて、ホックやマジックテープ（登録商標）を用いてもよい。
【００２８】
ネット本体部２４を構成するシート状のネットは、各種の材料で所定のサイズの目の網状体に形成すればよいが、物干し用ネット１自体を洗濯機で洗濯可能な材料であることが好ましい。また、シート状のネットは、織物又は編物などの布を用いることもできるが、その中でも不織布を用いることが好ましい。不織布を用いれば、ネット本体部２４内へのゴミ等の異物の侵入を好適に抑制でき、さらには通気性も良く、ほこりもでにくいからである。より好ましくは、撥水性のある不織布を用いるとよい。
【００２９】
ここで、本実施形態のネット本体部２４は、ネット本体部２４上の位置に応じて、メッシュ（網の目）の大きさが異なる。換言すれば、ネット本体部２４は、位置に応じて、通気度が異なる。好ましくは、ネット本体部２４の上部である上側ネット２１のメッシュは相対的に小さく、ネット本体部２４の下部である下側ネット２２のメッシュは相対的に大きいとよい。つまり、上側ネット２１の通気度は、下側ネット２２の通気度よりも小さくなる。ネット本体部２４が不織布からなる場合には、上側ネット２１の方が下側ネット２２よりも繊維間の隙間の大きさが小さくなる。
【００３０】
具体的には、上側ネット２１のメッシュは、ホコリが侵入しない程度のサイズであることが好ましい。一方、下側ネット２２のメッシュは、蜂や蚊などの虫が侵入しない程度のサイズであることが好ましく、上側ネット２１に比べて外気が通り易く、日光を通し易いことが好ましい。例えば、下側ネット２２としては、メッシュのサイズが０．２５ｍｍ2〜１ｍｍ2のものを用いることができ、これよりもメッシュが十分に小さいサイズの上側ネット２１を用いることができる。
【００３１】
なお、別の実施態様では、ネット本体部２４の例えば１／４の領域をメッシュの小さいものとし、残りの領域をメッシュの大きいものとしてもよい。あるいは、ネット本体部２４の上方から下方にかけて、段階的に又は徐々にメッシュのサイズが大きくなるようにしてもよい。また、ネット本体部２４に用いる不織布は、花粉を通しにくいことが好ましい。さらに、上側ネット２１と下側ネット２２とで、材質を変えてもよい。例えば、上側ネット２１を不織布で構成し、下側ネット２２を織物又は編物で構成してもよい。
【００３２】
以上説明した本発明の物干し用ネット１の作用、効果について述べる。
物干し用ネット１に洗濯物２及び物干し器具３を入れて、外に干すことができ、洗濯物２の全体を防護することができる。これにより、風であおられて洗濯物２が付近の壁に付着することを防止できたり、風で飛ばされて洗濯物２が地面に落下することを防止できたりする。
【００３３】
特に、上側ネット２１を比較的小さい目のもので構成しているので、枯葉、鳥の糞、ホコリなどが物干し用ネット１を通過することを抑制できる。これにより、洗濯物２が上方からの落下物によって汚れることを好適に抑制できる。一方で、これら鳥の糞等の被害が起きない又は起きる可能性が低い洗濯物２の側方や下方については、目が比較的大きい下側ネット２２で覆われている。このため、物干し用ネット１の通気性を高め、日光を取り入れ易くできるので、洗濯物２を乾き易くできる。したがって、本発明の物干し用ネット１によれば、洗濯物２に汚れが付着することを抑制しつつ、洗濯物２を乾き易くできる。
【００３４】
また、物干し用ネット１は洗濯可能であるので、洗濯物２を防護することによって物干し用ネット１が汚れた場合にもこれを洗うことができる。さらに、物干し用ネット１は折り畳み可能であるので、洗濯物２と一緒に洗うこともでき、保管時も嵩張ることなく管理し易い。
【００３５】
また、物干し用ネット１は、干している洗濯物２を外部から見え難くもさせることができる。これにより、物干し用ネット１が洗濯物２の目隠しとして機能する。さらに、ファスナー２５があることで、物干し用ネット１への物干し器具３の出し入れをし易くできると共に、泥棒の心理に洗濯物２の盗難の煩わしさをうったえることができる。
【００３６】
別の実施態様では、ネット本体部２４のネットとしては、不織布以外の織物又は編物などを用いる一方、図６に示すように、物干し用ネット１全体をさらに覆うカバーネット２００を用いても良い。このカバーネット２００は、花粉を通しにくい不織布からなり、上方のみ開放された箱型の形状を有するものである。物干し器具３を覆う物干し用ネット１全体をカバーネット２００で覆った後は、ひも２０１で絞ることでカバーネット２００の上部の開口を閉じればよい。このように、物干し用ネット１とカバーネット２００とをセットで用いれば、花粉対策など、季節に応じた対策を好適にとり得る。
【００３７】
＜第２実施形態＞
図４は、第２実施形態に係る物干し用ネット６０を示す斜視図である。第１実施形態との相違点は、物干し用ネット６０の全体形状を略角筒型から略円筒型に変更したことである。第１実施形態と同一の作用効果を奏する部材又は要素については、第１実施形態と同一の符号を付してその詳細な説明を省略する。
【００３８】
上側ネット２１は、例えば２個の斜面６１を形成するシート状のネットを、それぞれ帯状のバイヤステープ６２で縫い合わされてなる。このため、上側ネット２１は、円錐台状の形態を保つことができる一方で、折畳むことができるようになっている。
【００３９】
下側ネット２２は、例えば周面７１及び底面７２を形成する２個のシート状のネットを、帯状のバイヤステープ７３で縫い合わされてなる。このため、下側ネット２２は、一端を閉塞した円筒状の形態を保つことができる一方で、折畳むことができるようになっている。下側ネット２２と上側ネット２１とは、周面７１の上端と２個の斜面６１の下端とが帯状のバイヤステープ７４で縫い合わされている。
【００４０】
したがって、第２実施形態に係る物干し用ネット６０であっても、第１実施形態と同様の作用、効果を奏することができる。特に、第２実施形態に係る物干し用ネット６０は、物干し器具３の枠体１１の輪郭がリング状の場合に好適である。なお、第１実施形態と同様にカバーネットを併用する場合には、カバーネットの形状は上方のみを開放した円筒型にするとよい。
【００４１】
＜第３実施形態＞
図５は、第３実施形態に係る物干し用ネット１００を、物干し竿１６とともに示す斜視図である。第１実施形態との主な相違点は、物干し用ネット１００が物干し竿１６の一部ごと洗濯物２及び物干し器具３を覆うように構成されていることである。第１実施形態と同一の作用効果を奏する部材又は要素については、第１実施形態と同一の符号を付してその詳細な説明を省略する。なお、バイヤステープの符号は省略した。
【００４２】
物干し用ネット１００は、上側ネット２１及び下側ネット２２からなるネット本体部２４を有すると共に、ファスナー２５を有する。上側ネット２１は、下方を開口した箱状の形態を保つことができ、下側ネット２２は、上方を開口した箱状の形態を保つことができる。ネット本体部２４は、折畳むことができるようになっている。
【００４３】
上側ネット２１の左右の側面部２１ａ，２１ｂには、物干し竿１６を挿通するための開口が形成されている。このため、物干し竿１６の一部は、物干し用ネット１００内に収容されるようになっている。なお、図中の符号１２６は、側面部２１ａ，２１ｂの開口に設けられたドーナツ状のゴム製部材であり、ゴム製部材１２６の中央に物干し竿１６が挿通されている。
【００４４】
したがって、第３実施形態に係る物干し用ネット１００であっても、第１及び第２実施形態と同様の作用、効果を奏することができる。特に、第３実施形態に係る物干し用ネット１００によれば、上記した形態の物干し器具３のみならず、シャツやジーンズを吊るためのハンガーのような物干し器具であっても、好適に洗濯物を保護できる。また、例えば２以上の物干し器具を物干し用ネット１００で収容することができ、比較的広範囲に亘って、洗濯物を防護できる。
【図面の簡単な説明】
【００４５】
【図１】第１実施形態に係る物干し用ネットを、洗濯物及び物干し器具とともに示す斜視図である。
【図２】洗濯物及び物干し器具を示す斜視図である。
【図３】第１実施形態に係る物干し用ネットの斜視図である。
【図４】第２実施形態に係る物干し用ネットの斜視図である。
【図５】第３実施形態に係る物干し用ネットを、物干し竿とともに示す斜視図である。
【図６】第１実施形態に係る物干し用ネットと、これを収容可能なカバーネットとを示す斜視図である。
【符号の説明】
【００４６】
１：物干し用ネット、２：洗濯物、３：物干し器具、２１：上側ネット、２２：下側ネット、２４：ネット本体部、２５：ファスナー（開閉部）、６０：物干し用ネット、１００：物干し用ネット
【図１】
2008136783.tif 000003
【図２】
2008136783.tif 000004
【図３】
2008136783.tif 000005
【図４】
2008136783.tif 000006
【図５】
2008136783.tif 000007
【図６】
2008136783.tif 000008